(57)【特許請求の範囲】
【請求項１】
無線通信ネットワークの基地局との多入力多出力通信をサポートしているときに、ユーザ機器において、１次ストリームに加えて前記ユーザ機器により伝送される２次ストリームに対するトランスポート・ブロック・サイズを決定する方法であって、
前記２次ストリームと関連するグラントを受け取るステップと、
グラントとトランスポート・ブロック・サイズとの間の関係に従い前記２次ストリームに対するトランスポート・ブロック・サイズを決定するステップであって、前記関係は、前記１次ストリームに対する１次トランスポート・ブロック・サイズを決定するのに用いられるグラントとトランスポート・ブロック・サイズとの間の１次関係と異なる、ステップとを含み、
前記関係は、前記グラントを用いて前記トランスポート・ブロック・サイズを含むルックアップ・テーブルのインデックスを識別することにより、前記トランスポート・ブロック・サイズを決定し、
前記インデックスは、前記グラントから決定されるエンハンスト・データ・チャネル・フォーマット組み合わせ識別子（Ｅ−ＴＦＣＩ）と前記Ｅ−ＴＦＣＩからのオフセット値とを含む、方法。
【発明の詳細な説明】
【技術分野】
【０００１】
本発明は、無線通信ネットワークの基地局との多入力多出力通信をサポートするための方法、ユーザ機器、およびコンピュータ・プログラム製品に関する。
【背景技術】
【０００２】
無線通信ネットワークは、既知である。そのようなネットワークにおける基地局は、基地局と関連するある地理的領域またはセル内にあるユーザ機器に、無線接続性を提供する。基地局と各ユーザ機器との間の無線通信リンクは、典型的に、基地局からユーザ機器に情報を伝送するための１つまたは複数のダウンリンク（または順方向）チャネルと、ユーザ機器から基地局に情報を伝送するための１つまたは複数のアップリンク（または逆方向）チャネルとを含む。
【０００３】
多入力多出力（multiple-input-multiple-output：ＭＩＭＯ）技術は、基地局とオプションであるがユーザ機器とが複数のアンテナを含むときに、用いられ得る。例えば、複数のアンテナを含むユーザ機器は、複数の独立で別個の信号を、同じコードを用い、基地局によって分解可能である同じ伝送時間間隔（ＴＴＩ）の範囲内で、同じ周波数上を、基地局まで伝送することができる。例えば、個々のユーザ機器は、エンハンスト・データ・チャネル（Ｅ−ＤＣＨ）の２つのストリームを、同じアップリンク・リソース（周波数、時間、およびコード）を用いて、アップリンクに伝送することができるが、これは、このユーザ機器が、（単一のＥ−ＤＣＨストリームを伝送するときに生じるランク１の伝送とは対照的に）ランク２の伝送を実行できることを意味する。
【０００４】
Ｅ−ＤＣＨは、１つまたは複数のＥ−ＤＣＨ専用物理データ・チャネル（Ｅ−ＤＰＤＣＨ）から構成され、１つのＥ−ＤＣＨ専用物理制御チャネル（ＥＤＰＣＣＨ）を伴う。Ｅ−ＤＰＤＣＨはデータ・トラフィックを搬送し、Ｅ−ＤＰＣＣＨはＥ−ＤＰＤＣＨがデコードされることを可能にする制御情報を搬送する。
【０００５】
アップリンクＭＩＭＯでは、２次Ｅ−ＤＣＨストリームが、１次Ｅ−ＤＣＨストリームと共に送られる。１次Ｅ−ＤＣＨストリームと同様に、２次Ｅ−ＤＣＨストリームは、１つまたは複数の２次Ｅ−ＤＰＤＣＨ（Ｓ−Ｅ−ＤＰＤＣＨ）と１つの２次Ｅ−ＤＰＣＣＨ（Ｓ−ＥＤＰＣＣＨ）とから構成される。
【０００６】
Ｅ−ＤＣＨ動作のために、グラント（grants）として知られているリソースが、ユーザ機器への（基地局からなどの）ネットワークによって、スケジュールされる。グラントは、Ｅ−ＤＰＣＣＨ（パイロット）の電力に対するＥ−ＤＰＤＣＨ（データ）の電力の比率を示す。グラントを注意深くスケジュールすることにより、ネットワークは、アップリンクにおける全受信電力対熱雑音（Rise over Thermal：ＲｏＴ）すなわち干渉を管理することができる。
【０００７】
グラントとＥ−ＤＣＨの上を伝送可能なトランスポート・ブロック・サイズ（transport block size）との間で、関係、関数、または写像が定義される。グラントが高ければ高いほど、ユーザ機器がＴＴＩにおいて送ることができるトランスポート・ブロック・サイズは大きくなる。
【０００８】
アップリンクＭＩＭＯを提供することによりユーザ機器からネットワークへの伝送は容易になるのだが、予想しない結果が生じることがあり得る。
【０００９】
従って、ＭＩＭＯ通信をサポートするための改善された技術を提供することが望まれている。
【発明の概要】
【００１０】
第１の態様によると、無線通信ネットワークの基地局との多入力多出力通信をサポートしているときに、１次ストリームに加えてユーザ機器により伝送される２次ストリームに対するトランスポート・ブロック・サイズを決定する方法が提供され、この方法は、２次ストリームと関連するグラントを確立するステップと、グラントとトランスポート・ブロック・サイズとの間の関係に従い２次ストリームに対するトランスポート・ブロック・サイズを決定するステップとを含んでおり、この関係は、１次ストリームに対する１次トランスポート・ブロック・サイズを決定するのに用いられるグラントとトランスポート・ブロック・サイズとの間の１次関係とは異なる。
【００１１】
第１の態様によると、既存の技術は、既存の技術では１次または２次ストリームの不適切な使用に至り、それが、これらのストリームを用いた最適でない通信に至り得るという問題を有する、ということが認識される。特に、既存の技術では、後で説明されるように、あるストリームに対してトランスポート・ブロック・サイズが不適切に選択されてしまうことがあり得る。
【００１２】
第１の態様によると、既存の技術では、図１に図解されているように、Ｅ−ＤＰＤＣＨとＳ−Ｅ−ＤＰＤＣＨとの伝送電力は等しいと仮定されていることが、認識される。これは、２つのＥ−ＤＣＨストリームの間において単純化された電力配分を提供するためである。Ｓ−ＤＰＣＣＨは、通常、ＤＰＣＣＨの伝送電力と比較して、より低いオフセット電力で伝送される。２次グラントがＤＰＣＣＨに対するＳ−Ｅ−ＤＰＤＣＨの電力比率であるように選択される場合には、１次ストリームと２次ストリームとの両方が全く同一のグラントを有することになるが、この理由は、上述したように、Ｅ−ＤＰＤＣＨとＳ−Ｅ−ＤＰＤＣＨとの伝送電力が等しいからである。しかし、第１の態様によると、２次ストリームは１次ストリームのゲインよりも低いゲインを有するのが通常である（より低い信号対雑音干渉電力比（ＳＩＮＲ）が受信されるため）ことが、認識される。よって、両方のストリームに関するグラントが同一である場合には、２次ストリームが、１次ストリームと同じトランスポート・ブロック・サイズを伝送するのに十分な信号品質を伴って受信されないことがあり得る。あるいは、両方のストリームに関するグラントが、トランスポート・ブロック・サイズが２次ストリームの信号品質に適合する値に設定可能であるように、減少される場合には、（より高いゲインとより優れた信号品質とを有するのが通常である）１次ストリームによって搬送されるトランスポート・ブロック・サイズは、不必要に低くなる。
【００１３】
また、第１の態様によると、２次グラントが、代わりに、Ｓ−ＤＰＣＣＨに対するＳ−Ｅ−ＤＰＤＣＨの電力比率となるように選択される場合には、２次グラントは常に１次グラント以上になるが、その理由は、Ｓ−ＤＰＣＣＨの電力がＤＰＣＣＨの電力以下であるからである、ということが認識される。グラントとトランスポート・ブロック・サイズとの間で、１次ストリームに関して用いられるのと同じ関係、関数、または写像が２次ストリームに関して用いられる場合には、それが、（信号品質が劣っている）２次ストリームが、１次ストリームよりも大きなトランスポート・ブロック・サイズをサポートする原因となり得る。この結果として、２次ストリームにおいて、高いブロック・エラー・レート（ＢＥＲ）が生じることになる。
【００１４】
第１の態様によると、代わりに２つのエンハンスト・レラティブ・グラント・チャネル（Enhanced Relative Grant Channels：Ｅ−ＲＧＣＨ）が提供され、これら２つのエンハンスト・レラティブ・グラント・チャネルのそれぞれが、関連するストリームに対するグラントをスケジュールする場合には、Ｅ−ＤＰＤＣＨとＳ−Ｅ−ＤＰＤＣＨとに対して同じ電力を用いると次の問題が生じる、ということが認識される。２つのＥ−ＲＧＣＨを用いることで、ユーザ機器がＥ−ＤＰＤＣＨとＳ−Ｅ−ＤＰＤＣＨとに対して同じ電力を伝送することを強制されることにより、異なるストリームに対して異なるグラントが許容されるのであるが、用いられる最終のグラントの結果として、両方のストリームが同じトランスポート・ブロック・サイズを有することになるか、または、上述したように、２次ストリームがより大きなトランスポート・ブロック・サイズを有することになり得る。更に、このアプローチでは、ユーザ機器が、ただ１つではなく、２つのＥ−ＲＧＣＨをモニタする必要が生じてしまう。また、チャネルのランクが一定でなく、独立の複数のグラントを有することによって、ユーザ機器の伝送電力は、ユーザ機器が２つのストリームを伝送し２次グラントを用いると、突然、増加することがあり得る。アップリンクＭＩＭＯには非常に高いフォーマットだけが考えられるのであるから、伝送電力はほとんど２倍になり、ネットワークがそのＲｏＴを管理することが困難になり得る。
【００１５】
従って、２次ストリームに対するトランスポート・ブロック・サイズを決定する方法が提供される。２次ストリームは、ＭＩＭＯ通信をサポートしているときに、ユーザ機器と基地局との間で、１次ストリームに加えてアップリンクに伝送され得る。この方法は、２次ストリームと関連するグラントを確立するステップを含み得る。この方法は、また、２次ストリームに対するトランスポート・ブロック・サイズを決定するステップを含み得る。トランスポート・ブロック・サイズは、各グラントに対するトランスポート・ブロック・サイズを定義する関係、写像、関数、またはルックアップ・テーブルを用いて、決定され得る。各グラントに対するトランスポート・ブロック・サイズを定義する関係、写像、または関数は、１次ストリームに対する各グラントとトランスポート・ブロック・サイズとの間の関係を定義するのに用いられるものと比較すると、異なる関係、写像、または関数であり得る。
【００１６】
このアプローチ、すなわち、１次ストリームのグラントから１次ストリームに対するトランスポート・ブロック・サイズを導くのに用いられる関係、写像、または関数とは異なる関係、写像、関数、またはルックアップ・テーブルが、２次ストリームに対するトランスポート・ブロック・サイズをその関係に導くために用いられるというアプローチを用いることにより、各トランスポート・ブロック・サイズがそれに関連するストリームに適切であり得る、異なる複数のトランスポート・ブロック・サイズが用いられることが可能になる。典型的には、少なくとも、１次ストリームに対するグラントは、ネットワークからユーザ機器に信号によって告知され得るのであり、２次ストリームに対するグラントは、信号によって告知されるか、または、２次ストリームに配分される電力とリソースとから決定論的に導かれ得る。
【００１７】
ある実施形態によると、１次ストリームと２次ストリームとに対する同一のグラントに対し、関係と１次関係とが、２次ストリームと１次ストリームとに対して異なるトランスポート・ブロック・サイズを決定する。従って、１次ストリームと２次ストリームとが同一のグラントを有するときであっても、２次ストリームと１次ストリームとに対するトランスポート・ブロック・サイズを、同一ではなく、各トランスポート・ブロック・サイズがその関連するストリームに対して適切であるように、決定することができる。
【００１８】
ある実施形態では、１次ストリームと２次ストリームとに対する同一のグラントに対し、関係が、１次関係によって決定される１次トランスポート・ブロック・サイズよりも小さなトランスポート・ブロック・サイズを決定する。従って、１次ストリームと２次ストリームとに対するグラントが同一であるときであっても、１次ストリームに対する１次トランスポート・ブロック・サイズが、２次ストリームに対するトランスポート・ブロック・サイズよりも大きく決定されることがあり得る。別個の関係、写像、関数、またはルックアップ・テーブルを用いて２次ストリームのトランスポート・ブロック・サイズを導くことにより、（１次ストリームのグラントよりも大きな場合があり得る）２次ストリームのグラントが、１次ストリームの場合よりも小さなトランスポート・ブロック・サイズに写像されて、結果的に、２次ストリームの受信品質に、よりよく整合することが可能になる。
【００１９】
ある実施形態では、１次関係を用いてグラントから中間的なトランスポート・ブロック・サイズを決定し、次に、中間的なトランスポート・ブロック・サイズがスカラによってファクタされてトランスポート・ブロック・サイズを決定することにより、関係がトランスポート・ブロック・サイズを決定する。従って、１次ストリームに対するグラントとトランスポート・ブロック・サイズとの間の関係を定義するのに用いられる関係、写像、関数、またはルックアップ・テーブルを、２次ストリームに対するトランスポート・ブロック・サイズを導くために再利用することができる。
【００２０】
ある実施形態では、グラントをスカラによってファクタして中間的なグラントを決定し、次に、１次関係を用いて中間的なグラントからトランスポート・ブロック・サイズを決定することにより、関係がトランスポート・ブロック・サイズを決定する。再び、これにより、１次ストリームのトランスポート・ブロック・サイズを導くのに用いられる機能の再利用が可能になる。
【００２１】
ある実施形態では、スカラは、１以下の値である。これは、２次ストリームのトランスポート・ブロック・サイズが１次ストリームのトランスポート・ブロック・サイズよりも小さくなることを保証することの助けとなるのだが、その理由は、２次ストリームは１次ストリームの場合よりも弱いのが典型的であるからである。
【００２２】
ある実施形態では、この方法は、無線通信ネットワークのネットワーク・ノードからスカラを受け取るステップを含む。スカラは半静的または動的であり得る、ということが理解されるであろう。
【００２３】
ある実施形態では、複数の異なるトランスポート・ブロック・サイズがユーザ機器と基地局との間の通信に対してサポートされており、この方法は、複数の異なるトランスポート・ブロック・サイズの内から、トランスポート・ブロック・サイズに最も近接するがトランスポート・ブロック・サイズよりも大きくないサイズを有する１つを、２次ストリームに対して選択するステップを含む。２次ストリームに対して決定されるトランスポート・ブロック・サイズは有効なトランスポート・ブロック・サイズではないことがあり得る、ということが理解されるであろう。その理由は、これらは、離散的なトランスポート・ブロック・サイズの特定の組であることが典型的であるからである。従って、決定されるトランスポート・ブロック・サイズは、有効なトランスポート・ブロック・サイズに丸められることが必要な場合があり得る。例えば、決定されたトランスポート・ブロック・サイズを、その組の内で次に最も小さくて有効なトランスポート・ブロック・サイズに丸められることが必要な場合があり得る。
【００２４】
ある実施形態では、関係が、グラントを用いてトランスポート・ブロック・サイズを含むルックアップ・テーブルのインデックスを識別することにより、トランスポート・ブロック・サイズを決定する。典型的には、トランスポート・ブロック・サイズは、ルックアップ・テーブルのインデックスが増加するにつれて増加し（ただし、逆は必ずしも真でない）、インデックスとトランスポート・ブロック・サイズとの間には、１対１写像が存在し得る。
【００２５】
ある実施形態では、インデックスは、グラントから決定されたエンハンスト・データ・チャネル・フォーマット組み合わせ識別子（Enhanced Data Channel Transport Format Combination Identifier）を含む。
【００２６】
ある実施形態では、インデックスは、グラントとオフセット値とから決定されたエンハンスト・データ・チャネル・フォーマット組み合わせ識別子を含む。
【００２７】
ある実施形態では、グラントは、１次ストリームと２次ストリームとの一方と関連するパイロットの電力から確立される。
【００２８】
ある実施形態では、グラントは、１次ストリームと関連するグラントから別個に信号によって告知される。
【００２９】
第２の態様によると、無線通信ネットワークの基地局との多入力多出力通信をサポートしているときに、１次ストリームに加えてユーザ機器により伝送される２次ストリームに対するトランスポート・ブロック・サイズを決定するように動作可能なユーザ機器であって、２次ストリームと関連するグラントを確立するように動作可能な確立ロジックと、グラントとトランスポート・ブロック・サイズとの間の関係に従い２次ストリームに対するトランスポート・ブロック・サイズを決定するように動作可能な決定ロジックとを備えているユーザ機器が提供される。ただし、２次ストリームに対するトランスポート・ブロック・サイズを決定するのに用いられるグラントとトランスポート・ブロック・サイズとの間の関係は、１次ストリームに対する１次トランスポート・ブロック・サイズを決定するのに用いられるグラントとトランスポート・ブロック・サイズとの間の１次関係とは異なっている。
【００３０】
ある実施形態では、１次ストリームと２次ストリームとに対する同一のグラントに対し、関係と１次関係とが、２次ストリームと１次ストリームとに対して異なるトランスポート・ブロック・サイズを決定する。
【００３１】
ある実施形態では、１次ストリームと２次ストリームとに対する同一のグラントに対し、関係が、１次関係によって決定される１次トランスポート・ブロック・サイズよりも小さいトランスポート・ブロック・サイズを決定する。
【００３２】
ある実施形態では、１次関係を用いてグラントから中間的なトランスポート・ブロック・サイズを決定し、次に、中間的なトランスポート・ブロック・サイズがスカラによってファクタされてトランスポート・ブロック・サイズを決定することにより、関係がトランスポート・ブロック・サイズを決定する。
【００３３】
ある実施形態では、グラントをスカラによってファクタして中間的なグラントを決定し、次に、１次関係を用いて中間的なグラントからトランスポート・ブロック・サイズを決定することにより、関係がトランスポート・ブロック・サイズを決定する。
【００３４】
ある実施形態では、スカラは、１以下の値である。
【００３５】
ある実施形態では、ユーザ機器は、無線通信ネットワークのネットワーク・ノードからスカラを受け取るように動作可能な受信ロジックを含む。
【００３６】
ある実施形態では、複数の異なるトランスポート・ブロック・サイズがユーザ機器と基地局との間の通信に対してサポートされており、決定ロジックは、複数の異なるトランスポート・ブロック・サイズの内から、トランスポート・ブロック・サイズに最も近接するがトランスポート・ブロック・サイズよりも大きくないサイズを有する１つを、２次ストリームに対して選択するように動作可能である。
【００３７】
ある実施形態では、関係は、グラントを用いてトランスポート・ブロック・サイズを含むルックアップ・テーブルのインデックスを識別することにより、トランスポート・ブロック・サイズを決定する。
【００３８】
ある実施形態では、インデックスは、グラントから決定されるエンハンスト・データ・チャネル・フォーマット組み合わせ識別子を含む。
【００３９】
ある実施形態では、インデックスは、グラントとオフセット値とから決定されるエンハンスト・データ・チャネル・フォーマット組み合わせ識別子を含む。
【００４０】
ある実施形態では、グラントは、１次ストリームと２次ストリームとの一方と関連するパイロットの電力から確立される。
【００４１】
ある実施形態では、グラントは、１次ストリームと関連するグラントから別個に信号によって告知される。
【００４２】
第３の態様によると、コンピュータ上で実行されると、第１の態様の方法のステップを実行するように動作可能なコンピュータ・プログラム製品が提供される。
【００４３】
更に特定のおよび好適な態様が、添付の独立および従属請求項に記載されている。従属請求項の特徴は、独立請求項の特徴と適切に組み合わせることが可能であり、かつ、請求項に明示的に記載されている以外の組み合わせで、組み合わせることが可能である。
【００４４】
ある装置の特徴がある機能を提供するように動作可能と記載されている場合には、その機能を提供する装置の特徴を含む、または、その機能を提供するように適応されているもしくはその機能を提供するように構成されている装置の特徴を含む、ということが理解されるであろう。
【００４５】
次に、本発明の実施形態について、以下の添付の図面を参照して更に説明する。
【図面の簡単な説明】
【００４６】
【図１】伝送電力の間の関係を図解している図である。
【図２】ある実施形態による主な処理ステップを図解している図である。
【発明を実施するための形態】
【００４７】
概観
次に図２を参照すると、実施形態の一般的なアプローチは、１次ストリームに対するグラントから１次ストリームに対するトランスポート・ブロック・サイズＴＢＳ１を導くのに用いた関数とは異なる関数を用いて、２次ストリームに対するグラントから２次ストリームに対するトランスポート・ブロック・サイズＴＢＳ２を導くということである。典型的には、少なくとも１次ストリームに対するグラントは、基地局によってユーザ機器に信号により告知され、２次ストリームに対するグラントは、信号によって告知されるか、または、予め定義された規則に従いユーザ機器によってステップＳ１において決定論的に導かれるか、のいずれかである。このグラントから、少なくとも２次ストリームに対するトランスポート・ブロック・サイズが、ステップＳ２において導かれる。
【００４８】
例として、１次ストリームのトランスポート・ブロック・サイズＴＢＳ１が、１次ストリームにおける伝送に用いられるグラントＧ１（Ｅ−ＤＰＤＣＨ：ＤＰＣＣＨの電力比）の関数ｆ１である場合を考察する。すなわち、
ＴＢＳ１＝ｆ１（Ｇ１）・・・方程式１
【００４９】
現在、関数ｆ１は３ＧＰＰ  ＴＳ２５．３２１によって定義されているルックアップ・テーブルとして実装されている。ただし、関数ｆ１は関係、写像、または関数として実装され得ることが理解されるであろう。
【００５０】
グラントＧ１は、ＤＰＣＣＨに対するＥ−ＤＰＤＣＨの電力比（パイロット電力）である。
【００５１】
実施形態の一般的なアプローチでは、２次ストリームに対するグラントから２次ストリームに対するトランスポート・ブロック・サイズＴＢＳ２を導くには、別個の関数が用いられる。すなわち、
ＴＢＳ２＝ｆ２（Ｇ２）・・・方程式２
ここで、Ｇ２は、２次ストリームにおける伝送に対して提供されるグラントである。
【００５２】
上述したように、Ｇ２は、ＤＰＣＣＨに対するＳ−Ｅ−ＤＰＤＣＨの電力比またはＳ−ＤＰＣＣＨに対するＳ−Ｅ−ＤＰＤＣＨの電力比であり得る。Ｅ−ＤＰＤＣＨとＳ−Ｅ−ＤＰＤＣＨの電力は典型的には同一であると想定されるので、Ｇ２は常にＧ１と同一であるかまたはＧ１よりも大きい。
【００５３】
既存の関数ｆ１が（入力であるＧ２と共に）２次ストリームに対して用いられる場合には、ＴＢＳ２≧ＴＢＳ１という結果が得られる。すなわち、（より弱い無線条件を有する）２次ストリームが、１次ストリームにおいてよりも大きなトランスポート・ブロック・サイズをサポートしなければならない。しかし、２次ストリームのトランスポート・ブロック・サイズを導くのに別個の関数ｆ２を用いることによって、（Ｇ１以上であり得る）Ｇ２が、１次ストリームにおける場合よりも小さなトランスポート・ブロック・サイズに写像されることが可能になり、結果的に、２次ストリームの受信品質とよりよく整合する。
【００５４】
＜実施形態１−関数スケーリング・ファクタ＞
ある実施形態では、関数ｆ２は、関数ｆ１にスケーリング・ファクタαを乗算したものに等しい。すなわち、
ＴＢＳ２＝ｆ２（Ｇ２）＝αｆ１（Ｇ２）・・・方程式３
【００５５】
この実施形態により、ｆ１で用いられるのと同じルックアップ・テーブルを、ＴＢＳ２を導くのに再利用することが可能になる。都合のいいことに、αの値はネットワークによって信号により告知され、半静的（ｓｅｍｉ−ｓｔａｔｉｃ）または動的であり得る。
【００５６】
Ｅ−ＴＦＣＩは離散的なトランスポート・ブロック・サイズの特定の組に対するインデックスであるから、方程式３を用いて導かれるＴＢＳ２は有効なトランスポート・ブロック・サイズではないことがあり得ることに注意すべきである。従って、計算されるＴＢＳ２は、例えば次に小さな有効なトランスポート・ブロック・サイズに丸められるなど、有効なトランスポート・ブロック・サイズに「丸める」ことが必要な場合があり得る。
【００５７】
＜実施形態２−グラントスケーリング・ファクタ＞
ある実施形態では、関数ｆ２はｆ１と等しいが、ただし、グラントＧ２がスケーリング・ファクタαによってスケーリングされる。すなわち、
ＴＢＳ２＝ｆ２（Ｇ２）＝ｆ１（αＧ２）・・・方程式４
【００５８】
この実施形態は関数ｆ１を再利用しており、関数ｆ１は有効なトランスポート・ブロック・サイズに写像されるため、計算されるＴＢＳ２は有効なトランスポート・ブロック・サイズとなる。
【００５９】
２次ストリームは１次ストリームよりも弱くなることが予想され、従って、方程式３または４におけるαの適切な値は１未満であり得る。
【００６０】
＜実施形態３−インデックス・オフセット＞
Ｅ−ＴＦＣＩは、トランスポート・ブロック・サイズのルックアップ・テーブルへのインデックスである。（３ＧＰＰ  ＴＳ２５．３２１で定義されている）トランスポート・ブロック・サイズのルックアップ・テーブルは、Ｅ−ＴＦＣＩが増加するにつれて増加し、Ｅ−ＴＦＣＩとトランスポート・ブロック・サイズとの間には１対１写像が存在する。よって、関数ｆ１は、Ｅ−ＴＦＣＩ数も与える。混乱を避けるため、関数ｈ１は、次のように、グラントＧ１を用いてＥＴＦＣＩ１（１次ストリームに対するＥ−ＴＦＣＩ）を与えるように定義される。
ＥＴＦＣＩ１＝ｈ１（Ｇ１）・・・方程式５
【００６１】
ある実施形態では、２次ストリームに対するＥ−ＴＦＣＩであるＥＦＴＣＩ２は、関数ｈ１を用いて計算されるＥ−ＴＦＣＩからのオフセットγ（整数）である。すなわち、
ＥＴＦＣＩ２＝ｍａｘ（ｈ１（Ｇ２）−γ，ＥＴＦＣＩＭＩＮ）・・・方程式６
ここで、ＥＴＦＣＩＭＩＮは、トランスポート・ブロック・サイズのルックアップ・テーブルにおける最小の有効なＥ−ＴＦＣＩである。Ｅ−ＴＦＣＩは有効なトランスポート・ブロック・サイズを指しているから、方程式６から導かれるＥＴＦＣＩ２は、有効なトランスポート・ブロック・サイズを指すことになる。１次ストリームによって用いられる既存のトランスポート・ブロック・サイズのルックアップ・テーブルは、従って、再利用が可能である。αと同様に、γは、ネットワークによって信号で告知可能であって、半静的または動的である。
【００６２】
従って、実施形態によると、２次ストリームは、２次ストリームそれ自体がサポートできない、または、ＵＥの１次ストリームのトランスポート・ブロック・サイズを２次ストリームのトランスポート・ブロック・サイズと一致するように低下させるトランスポート・ブロック・サイズは、用いることができない、ということがわかる。これにより、アップリンクＭＩＭＯがアップリンク・スループットを増加させるが、２次ストリームが、同じトランスポート・ブロック・サイズを有するように伝送される両方のストリームの伝送で生じるはずの全スループットを低下させてしまうという問題が、解消される。
【００６３】
当業者であれば、上述の様々な方法のステップはプログラムされたコンピュータによって実行可能であることを、容易に理解するであろう。本明細書では、いくつかの実施形態が、機械またはコンピュータ可読であって上述の方法のステップの一部またはすべてを実行する命令からなる機械実行可能またはコンピュータ実行可能であるプログラムを符号化する、例えばデジタル・データ記憶媒体などのプログラム記憶デバイスも包含することが意図されている。このプログラム記憶デバイスは、例えば、デジタル・メモリ、磁気ディスクおよび磁気テープなどの磁気記憶媒体、ハード・ドライブ、または光学的に可読なデジタル・データ記憶媒体などであり得る。また、実施形態は、上述の方法のステップを実行するようにプログラムされたコンピュータを包含することも意図されている。
【００６４】
「プロセッサ」または「ロジック」と記された任意の機能ブロックを含め、図に示されている様々な要素の機能は、専用ハードウェアだけでなく、適切なソフトウェアと連携してソフトウェアを実行可能なハードウェアを用いることによっても、提供され得る。プロセッサによって提供されるときには、機能は、単一の専用プロセッサによって、単一の共用プロセッサによって、またはその中のいくつかは共用可能な複数の個別のプロセッサによって、提供され得る。更に、「プロセッサ」または「コントローラ」または「ロジック」という用語が明示的に用いられていても、それは、ソフトウェアを実行可能なハードウェアに排他的に言及していると解釈すべきではなく、限定列挙ではないが、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するためのリード・オンリ・メモリ（ＲＯＭ）、ランダム・アクセス・メモリ（ＲＡＭ）、および不揮発性ストレージを暗黙に含むことがあり得る。従来型および／またはカスタマイズされた、他のハードウェアが、含まれることもある。同様に、図に示されているスイッチは、いずれも、概念的なものにすぎない。それらの機能は、プログラム・ロジックの動作を通して、専用ロジックを通して、プログラム制御と専用ロジックの相互作用を通して、または手動でも、実行され得る。この場合、より具体的には文脈から理解されるように、実装を行う者が、特定の技術を選択することができる。
【００６５】
当業者であれば、本出願におけるブロック図は、いずれも、本発明の原理を具体化する例証のための回路の概念図を表している、ということを理解するはずである。同様に、フローチャート、フロー図、状態遷移図、疑似コードなどは、いずれも、様々なプロセスを表していることが理解されるであろう。なお、これらの様々なプロセスとは、コンピュータ可読媒体において実質的に表わし得るものであり、コンピュータまたはプロセッサが明示的に示されているかどうかにかかわらず、コンピュータまたはプロセッサによって、そのように実行可能なものであり得る。
【００６６】
説明と図面とは、単に、本発明の原理を例証するものである。従って、当業者であれば、本明細書に明示的に記載または提示されていないが、本発明の原理を具体化しその趣旨および範囲に含まれる様々な構成を考案できるであろうことが、理解されるだろう。更に、本明細書に記載されているすべての例は、原理的に、本発明の原理と発明者（ら）によって提供されている概念とを読者が理解し当技術分野を発展させる際の支援となるという教育的目的のみを有していることが、明示的に意図されており、そのような具体的に挙げられた例および条件に限定されるものではないと解釈されるべきである。更に、本発明の原理、態様、および実施形態について述べた本明細書におけるすべての言明、ならびにそれらの具体例は、それらの均等物を包含することが意図されている。
【図１】
0006462052.tif 000002
【図２】
0006462052.tif 000003